(57)【要約】【課題】  仕掛けの投入時等においては適度な握りの径を維持しながら、尻栓部分を釣り人の腹部に押し当てる場合には、釣竿の姿勢を安定させて魚との遣り取り操作を自由に行い得る釣竿を提供する点にある。【解決手段】  元竿３の竿尻端部に、弾性変形自在なグリップ部７を形成するとともに、グリップ部７を、変形前の装着状態と、その軸線方向に沿った長さを短縮してグリップ部７の後端を元竿３の竿尻端に近接させるとともに径方向に膨出して大径化する変形状態とに切り換え可能に構成してある。【選択図】        図１
2006187239.tif 000002
【特許請求の範囲】
【請求項１】
元竿の竿尻端部に、弾性変形自在な筒状体を装着してグリップ部を形成するとともに、前記グリップ部を、そのグリップ部における竿尻側の後端が前記元竿の竿尻端より後方側に離間する変形前の装着状態と、その軸線方向に沿った長さを短縮して前記グリップ部の後端を前記元竿の竿尻端に近接させるとともに前記円筒状の胴部を径方向に膨出して大径化する変形状態とに切り換え可能に構成してある釣竿のグリップ構造。
【請求項２】
前記グリップ部の竿尻端に尻栓を取り付け、前記グリップ部が変形する前の装着状態で、前記尻栓を前記元竿の竿尻端より離間する状態に設け、前記グリップ部がその軸線長さを短縮するとともに径方向に膨出して大径化した変形状態で、前記尻栓が前記竿尻端に当接すべく構成してある請求項１記載の釣竿のグリップ構造。
【請求項３】
前記尻栓から前記元竿の竿尻端部内に入り込むガイドロッドを延出してある請求項２記載の釣竿のグリップ構造。
【発明の詳細な説明】
【技術分野】
【０００１】
本発明は、元竿の竿尻端部に装着される釣竿のグリップ構造に関する。
【背景技術】
【０００２】
釣竿のグリップ構造は、パイプ状に元竿の外面に、コルクやゴム、ウレタン等の樹脂材を筒状に形成し、その筒状に形成したグリップ材を装着して構成されていた（特許文献１参照）。
一方、釣竿の竿尻端に、グリップ部分より大径に形成された腹当てを設けてあるものもある（特許文献２参照）
【０００３】
【特許文献１】特開２００３−２９９４２７号公報（段落番号〔００１７〕及び、図１，２）
【特許文献２】特開平７−２３６７６号公報（段落番号〔０００７〕及び、図１，２）
【発明の開示】
【発明が解決しようとする課題】
【０００４】
前記したようなグリップ構造では、握り易さを主として形状等が決められているので、仕掛けを投入する際では、握り部分が細い径で投入操作に支障は感じられてはなかった。
ところで、船や磯での釣時に、大物を釣り上げるために魚とのファイティングを行っている際に、釣り人は、元竿の竿尻端を腹部分に当接させて、竿を操作したり、仕掛けを巻挙げ操作することがある。
そのような場合に、元竿の後端部やグリップ部の後端が握りに合った径に形成されていると、釣り人の腹部分に当接する竿尻端部の接触面積が十分でないために、釣竿が安定せず、魚を釣り上げる操作が旨くいかないことがあった。
このようなグリップ部の構造に対してグリップ部の竿尻端に装着してある大径の腹当てをグリップ部分まで延出して、グリップを大径化することも考えられるが、この場合には、仕掛けを投入する際に握り部が大きくなりすぎ、投入操作がうまくいかないことがある。
【０００５】
本発明の目的は、前記したような不具合を修正して、適正な釣竿のグリップ構造を提供する点にある。
【課題を解決するための手段】
【０００６】
〔構成〕
請求項１に係る発明の特徴構成は、元竿の竿尻端部に、弾性変形自在な筒状体を装着してグリップ部を形成するとともに、前記グリップ部を、そのグリップ部における竿尻側の後端が前記元竿の竿尻端より後方側に離間する変形前の装着状態と、その軸線方向に沿った長さを短縮して前記グリップ部の後端を前記元竿の竿尻端に近接させるとともに前記円筒状の胴部を径方向に膨出して大径化する変形状態とに切り換え可能に構成してある点にあり、その作用効果は次の通りである。
【０００７】
〔作用〕
つまり、グリップ部は所定位置に装着した状態で、変形する前の状態にあるので、径方向への膨出が抑えられた握り易い形状となっており、仕掛けの投入操作時に支障を来たすことが少ない。
一方、魚とのファイティングを行っている際に、釣り人が、グリップ部の後端を腹部分に当接させると、グリップ部が変形してその軸線方向の長さを短縮すると同時に前記円筒状の胴部を径方向へ膨出するので、そのグリップ部後端の前記腹部分に当接した部分が広がり広い面積になり、釣竿を安定して腹部分で支持でき、魚とのファイティング操作が容易になる。
【０００８】
〔効果〕
したがって、握り易いグリップでありながら、腹当て部としても安定して釣竿を支持できるものに兼用することができた。
【０００９】
請求項２に係る発明の特徴構成は、請求項１に係る発明において、前記グリップ部の竿尻端に尻栓を取り付け、前記グリップ部が変形する前の装着状態で、前記尻栓を前記元竿の竿尻端より離間する状態に設け、前記グリップ部がその軸線長さを短縮するとともに径方向に膨出して大径化した変形状態で、前記尻栓が前記竿尻端に当接すべく構成してある点にあり、その作用効果は次の通りである。
【００１０】
〔作用効果〕
グリップ部が変形する際に、尻栓が元竿の竿尻端に当接するので、変形状態が一定の限度に抑えられ、弾性変形可能なグリップ部の変形が適正なものに規制される。
【００１１】
請求項３に係る発明の特徴構成は、前記尻栓から前記元竿の竿尻端部内に入り込むガイドロッドを延出してある点にあり、その作用効果は次の通りである。
【００１２】
〔作用効果〕
ガイドロッドが元竿の竿尻端部内に入り込んで、後グリップ部が変形するに合わせて竿尻端部内を摺動移動するので、グリップ部の後端が元竿の軸芯に対して径方向にズレたり、斜め状態となったりすることがなく、元竿の軸線位置と釣り人の腹部に当接する部分の軸芯のズレが少なく、釣竿を安定して支持できる。
【発明を実施するための最良の形態】
【００１３】
図１及び図２に示すように、トップガイド１Ａ、移動ガイド１Ｂ等を備えた穂先竿１、玉口に釣糸ガイド２Ａを備えた二番竿等の中間竿２、元竿３によって、振出式の釣り竿Ａを構成してある。元竿３にはリールシート４を装着するとともに、リール５を取り付けてあり、その元竿３のリールシート４より後端側に前グリップ部６を装着するとともに、竿尻端部に後グリップ部７を取り付け固定してある。
【００１４】
元竿３の構成について説明する。元竿３は次ぎのように構成されている。図には示していないが、炭素繊維等の強化樹脂を一方向に引き揃えたものにエポキシ等の熱硬化樹脂を含浸させたプリプレグを所定のシートパターンに裁断した後に、そのシートパターンをマンドレルに巻回し、その後焼成して竿本体を形成する。その竿本体に対して、別固にＡＢＳ樹脂等をインジェクション成型等によって形成したリールシート４を嵌着するとともに、その後方にＥＶＡゴム、ウレタン樹脂とを竿本体に被覆して前グリップ部６を構成する。リールシート４としては、竿本体に一体化するように型成形してもよい。
【００１５】
後グリップ部７について説明する。図２に示すように、元竿３を構成する竿本体の竿尻端部を切削加工によって細径部３ａを形成し、その細径部３ａを後グリップ部７の取付部とする。後グリップ部７は、ＥＶＡゴム、ウレタンゴム、その他軟質樹脂等の弾性材を円筒状に成形したものを細径部３ａに外嵌して接着固定する。その接着固定した状態では、後グリップ部７の外径は前グリップ部６の外径より大であり、かつ、元竿３の竿本体における細径部３ａに対して後グリップ部７の前半部だけが接着され、後半部は片持ち状に後方に向けて延出してある。後グリップ部７の材料としては、樹脂シート製の円筒状部材の肉厚部分にエアーを封入して構成したエアーパイプを使用してもよい。
【００１６】
図２に示すように、後グリップ部７の後端開口部位にはスリーブ７ａが固着されており、このスリーブ７ａに尻栓８がそのネジ部８ａでねじ込み固着されており、尻栓８には水抜き孔が設けてある。尻栓８の前端は後グリップ部７の内部空間に入り込んでいる。尻栓８の材料としては樹脂で形成してもよく、また、金属製であってもよい。金属製であれば、尻栓８の表面に樹脂やゴム等の弾性材を被覆してもよい。そうすると、尻栓８が腹部に当接しても圧迫感を和らげることができる。
【００１７】
以上のような構成を採る後グリップ部７を元竿３の細径部３ａに装着固定する装着状態にあっては、図２（イ）に示すように、尻栓８の前端が竿本体の竿尻端よりさらに後方に離間して位置する状態であり、軸線方向に沿った長さが長くなっている。このような装着状態から、釣操作時に尻栓８部分を釣り人の腹部に当接すると、後グリップ部７は腹部からの反力を受けて、図２（ロ）に示すように、竿の軸線方向に沿って縮む短縮状態となると同時に中間部分（前記円筒状の胴部）を径方向に向けて膨出させて変形状態に切り換わる。このように、変形することによって、尻栓８を中心として広がった後グリップ部７の膨出部が腹部に当接することになり、釣竿Ａの姿勢を安定させる。
【００１８】
〔別実施形態〕
（１）  尻栓８に対してガイドロッド８ｂを突出させてもよい。つまり、図３（イ）（ロ）に示すように、尻栓８から元竿３に向けてガイドロッド８ｂを突出させ、元竿３の後端開口部より内部に差し込み、元竿３に対してガイドロッド８ｂを摺動移動するように構成してもよい。
（２）  後グリップ部７の構成を適用する対象としては、竿の外周面に釣糸ガイドを有するものを示したが、竿の内部に糸挿通空間を備える中通し竿に適用してもよい。
（３）  前記した実施形態では後グリップ部７自体が有する弾性復帰力を利用して変形状態から装着状態に復帰する構成を採っているが、図４に示すように、復帰力を補助する補助バネ９を設けてよい。つまり、元竿３の内部にバネ受け１０を装入するとともに、このバネ受け１０とガイドロッド８ｂ内とに亘って補助バネ９を装入し、尻栓８を介して後グリップ部７に装着状態への復帰力を補助するようにしてもよい。
【図面の簡単な説明】
【００１９】
【図１】（イ）は、釣り竿を示す側面図、（ロ）は、後グリップ部分を釣り人の腹部に当接させた状態を示す縦断側面図
【図２】（イ）は、後グリップが伸長状態にある姿勢を示す縦断側面図、（ロ）は、後グリップが短縮状態にある姿勢を示す縦断側面図
【図３】（イ）は、尻栓にガイドロッドを取り付けて伸長状態にある姿勢を示す縦断側面図、（ロ）は、尻栓にガイドロッドを取り付けて短縮状態にある姿勢を示す縦断側面図
【図４】復帰バネを元竿と尻栓との間に装着した状態を示す縦断側面図
【符号の説明】
【００２０】
３            元竿
７            グリップ部
８            尻栓
８Ａ          ガイドロッド
【図１】
2006187239.tif 000003
【図２】
2006187239.tif 000004
【図３】
2006187239.tif 000005
【図４】
2006187239.tif 000006